(57)【要約】      （修正有）【課題】溶接を必要とせず、整流ダイオードと電流制限抵抗のスイッチベース内への設置が実現される船形スイッチを提供する。【解決手段】本考案の船形スイッチは、ランプベース１５の下端に長ばね座１８を延伸させ、長ばね座１８内に整流ダイオード１３、長ばね１２、摺動銅ブッシュ１１を順に挿設するとともに、スイッチベース０１に小ばね座１９を設置し、小ばね座１９に小ばね０３、電流制限抵抗０４を順に挿設する方式により、整流ダイオード１３と電流制限抵抗０４を同時にスイッチベース０１内に設置することを実現する。本考案によれば、船形スイッチの使用時に整流ダイオード１３を一時的に溶接する必要があるという問題を解決する。【選択図】図１
0003205003.tif 000002
【実用新案登録請求の範囲】
【請求項１】
スイッチベース（０１）と、スイッチベース（０１）に取り付けられて外側へ延伸する銀点脚（０６）と、中間脚（０５）と、ランプ脚（０２）と、ランプベース（１５）と、長ばね（１２）とを含み、
前記ランプベース（１５）の上方に発光ダイオード（１４）が取り付けられ、
前記ランプベース（１５）に接続されるボタン（１７）がスイッチベース（０１）の上部にヒンジ接続される船形スイッチにおいて、
前記ランプベース（１５）の底部には、長ばね座（１８）が延伸し、
前記長ばね座（１８）には、導通する整流ダイオード（１３）と長ばね（１２）と摺動銅ブッシュ（１１）が設けられており、
前記整流ダイオード（１３）の上端は、発光ダイオード（１４）の一端のピンに接続し、
前記摺動銅ブッシュ（１１）の下端は、スプリングボード（０７）の一端及び下部の中間脚（０５）に接続し、
前記スイッチベース（０１）には、小ばね座（１９）が設けられており、
前記小ばね座（１９）には、導通する小ばね（０３）と電流制限抵抗（０４）が設けられており、
前記小ばね（０３）の下端は、ランプ脚（０２）に接続し、
前記ボタン（１７）がランプ脚（０２）側に揺動すると、前記電流制限抵抗（０４）の上端は、発光ダイオード（１４）の他端のピンに接続することを特徴とする船形スイッチ。
【請求項２】
請求項１に記載の船形スイッチにおいて、
前記小ばね座（１９）の内壁には、電流制限抵抗（０４）に係合する係合口（２０）が設けられていることを特徴とする船形スイッチ。
【請求項３】
請求項１に記載の船形スイッチにおいて、
前記整流ダイオード（１３）と電流制限抵抗（０４）の位置を入れ替えたことを特徴とする船形スイッチ。
【考案の詳細な説明】
【技術分野】
【０００１】
本考案は、船形スイッチに係り、特に指示ランプ付の船形スイッチに関する。
【背景技術】
【０００２】
従来の指示ランプ付の船形スイッチの構造として、スイッチベースと、スイッチベースに取り付けられて外側へ延伸する銀点脚と、中間脚と、ランプ脚と、ランプベースと、長ばねとを含み、ネオン管（現在、発光ダイオードに代替される）と電流制限抵抗にネオン管リードを介して接続する指示機構がランプベースに取り付けられ、ランプベースに接続するボタンがスイッチベースの上部にヒンジ接続し、ランプベースが大ばねを介してスプリングボードの一端及び下部の中間脚に接続し、ボタンが長ばねを動かしてスプリングの他端と銀点脚との接続又は離間を制御する。しかし、実際の応用において、電流が安定しないと、ネオン管又は発光ダイオードが切れやすく、スイッチの使用に支障をきたす。この問題を解決するために、通常、ランプ脚に一時的に整流ダイオードを溶接することにより、電流が安定しないことからネオン管又は発光ダイオードが切れてしまう問題を解決する。しかし、一時的に整流ダイオードを溶接することは、取り付けに手間がかかり、性能が安定せず、意匠性が劣るといった問題が存在する。
【考案の概要】
【考案が解決しようとする課題】
【０００３】
本考案が解決しようとする技術問題は、溶接を必要とせず、整流ダイオードと電流制限抵抗のスイッチベース内への設置が実現される船形スイッチを提供することである。
【課題を解決するための手段】
【０００４】
上記問題を解決するために、本考案は、スイッチベースと、スイッチベースに取り付けられて外側へ延伸する銀点脚と、中間脚と、ランプ脚と、ランプベースと、長ばねとを含み、前記ランプベースの上方に発光ダイオードが取り付けられ、ランプベースに接続されるボタンがスイッチベースの上部にヒンジ接続される船形スイッチにおいて、前記ランプベースの底部には、長ばね座が延伸し、長ばね座には、導通する整流ダイオードと長ばねと摺動銅ブッシュが設けられており、前記整流ダイオードの上端は、発光ダイオードの一端のピンに接続し、前記摺動銅ブッシュの下端は、スプリングボードの一端及び下部の中間脚に接続し、前記スイッチベースには、小ばね座が設けられており、前記小ばね座には、導通する小ばねと電流制限抵抗が設けられており、前記小ばねの下端は、ランプ脚に接続し、前記ボタンがランプ脚側に揺動すると、前記電流制限抵抗の上端は、発光ダイオードの他端のピンに接続することを特徴とする。
【０００５】
前記船形スイッチにおいて、前記小ばね座の内壁には、電流制限抵抗に係合する係合口が設けられていることを特徴とする。
【０００６】
前記船形スイッチにおいて、前記整流ダイオードと電流制限抵抗の位置を入れ替えたことを特徴とする。
【考案の効果】
【０００７】
本考案の船形スイッチは、ランプベースの下端に長ばね座を延伸させ、長ばね座内に整流ダイオード、長ばね、摺動銅ブッシュを順に挿設するとともに、スイッチベースに小ばね座を設置し、小ばね座に小ばね、電流制限抵抗を順に挿設する方式により、整流ダイオードと電流制限抵抗を同時にスイッチベース内に設置することを実現する。本考案によれば、船形スイッチの使用時に整流ダイオードを一時的に溶接する必要があるという問題を解決する。このような構造を採用することにより、出荷時に統一規格の整流ダイオードを設置することができ、製品の安定性が向上する。また、ランプ脚に溶接ラインがないため、意匠性が向上する。最後に、本考案の抵抗とダイオードは、非溶接方式で接続されており、従来の溶接方式に比較し、より装着しやすく、且つ性能がより安定する。
【０００８】
以下、図面と具体的な実施形態とともに、本考案をさらに詳細に説明する。
【図面の簡単な説明】
【０００９】
【図１】本考案の構造模式図である。
【図２】本考案の分解図である。
【図３】本考案の一部構造の断面図である。
【考案を実施するための形態】
【００１０】
図１〜３に示すように、本考案の船形スイッチは、スイッチベース０１と、スイッチベース０１に取り付けられて外側へ延伸する銀点脚０６と、中間脚０５と、ランプ脚０２と、ランプベース１５と、長ばね１２とを含む。前記ランプベース１５の上方には、発光ダイオード１４が取り付けられる。ランプベース１５に接続されるボタン１７は、スイッチベース０１の上部にヒンジ接続される。発光ダイオード１４に対応する前記ボタン１７の上方に透光板１６が設けられる。前記ランプベース１５の底部には、長ばね座１８が延伸する。長ばね座１８には、整流ダイオード１３、長ばね１２、摺動銅ブッシュ１１が順に挿設される。装着後、摺動銅ブッシュ１１の先端部分は、長ばね座１８から延出する。長ばね１２の弾性により、前記整流ダイオード１３の上端を、発光ダイオード１４の一端のピンに当接させ、前記摺動銅ブッシュ１１の下端をスプリングボード０７の一端及び下部の中間脚０５に当接させて、導通路を形成する。ボタンは、長ばね座１８及び長ばね座１８内に設置される整流ダイオード１３、長ばね１２、摺動銅ブッシュ１１を動かして、スプリングボードの他端と銀点脚の接続又は離間を制御する。前記スイッチベース０１には、小ばね座１９が設けられる。前記小ばね座１９には、小ばね０３、電流制限抵抗０４が順に挿設される。小ばね０３の弾性により、前記小ばね０３の下端をランプ脚０２に当接させる。前記ボタン１７がランプ脚０２側に揺動する（開状態）と、前記電流制限抵抗０４の上端が発光ダイオード１４の他端のピンに当接し、導通路を形成する。上記の小ばね０３、電流制限抵抗０４は、それぞれ脚なしの柱形状整流ダイオードと脚なしの柱形状電流制限抵抗を採用する。
【００１１】
前記小ばね座１９の内壁には、電流制限抵抗０４に係合する係合口２０が設けられる。電流制限抵抗０４は、脚なしの柱形状抵抗を採用するため、両端では太く中間では細い形状である。電流制限抵抗０４を係合口２０に圧入することにより、電流制限抵抗０４を位置決めすることができ、脱落が防止され、安定性が向上する。
【００１２】
必要に応じて、前記整流ダイオード１３と電流制限抵抗０４の位置を入れ替えても、本考案の効果を実現することもできる。
【００１３】
以上の記載は、本考案の好ましい実施例であり、本考案を限定するためのものではない。本考案の精神と原則内に成したあらゆる補正、同等効果の差し替え及び改良は、いずれも本考案の保護範囲内に含まれる。
【図１】
0003205003.tif 000003
【図２】
0003205003.tif 000004
【図３】
0003205003.tif 000005